(57)【要約】【課題】  複数のオーダを受けた場合に、適切な順序でオーダの処理を行いうるシステムを合理的に構成する。【解決手段】  デジタルカメラで使用されたメディアからのプリント、写真フィルムからの同時プリント、インターネットを介して送られた画像データのプリント夫々の受け付け形態に対して、この順序となる優先順位を設定し、複数のオーダを受け付けた場合には、受け付け形態に基づいて処理順序を設定する。新たにオーダを受け付けた場合には、仕上がり日時に遅れを生ずる場合には、設定されたルールに基づいて処理順序を設定する。【選択図】        図１１
2006227381.tif 000002
【特許請求の範囲】
【請求項１】
複数のオーダを受け付け、その受け付け順序と異なる順序でオーダのプリント処理を行うプリント制御部を備えている写真プリントシステムであって、
前記プリント制御部は、オーダの受け付け形態に対応して設定された優先順位に基づいて処理順序を設定する処理順序設定手段と、オーダ毎に仕上がり日時を設定する仕上がり日時設定手段と、設定された処理順序に従ってオーダのプリント処理を行うプリント実行手段とを備えている写真プリントシステム。
【請求項２】
前記オーダの受け付け形態として、デジタルカメラで撮影された画像データからプリント処理を行うデジタル受け付けと、写真フィルムに撮影された画像からプリント処理を行うフィルム受け付けと、通信回線を介して送られた画像データからプリント処理を行う通信受け付けとが設定され、
前記処理順序設定手段は、前記デジタル受け付けのオーダに対して優先順位を最も高く設定し、フィルム受け付けのオーダに次の優先順位を設定し、通信受け付けのオーダにその次の優先順位を設定している請求項１記載の写真プリントシステム。
【請求項３】
新たにオーダを受け付けた場合に前記処理順序の更新を行う処理順序更新手段を備え、この処理順序更新手段は、新たに受け付けたオーダに対して前記処理順序設定手段で設定される処理順序が、既に設定されている前記処理順序に割り込む場合でも、既に設定されている処理順序における複数のオーダの何れの仕上がり日時にも遅れを生じない場合にのみ、割り込んだ処理順序を設定するように処理形態が設定されている請求項１又は２記載の写真プリントシステム。
【請求項４】
新たにオーダを受け付けた場合に前記処理順序の更新を行う処理順序更新手段を備え、この処理順序更新手段は、新たに受け付けたオーダに対して前記処理順序設定手段で設定される処理順序が、既に設定されている前記処理順序に割り込むことにより、既に設定されている処理順序における複数のオーダの何れかの仕上がり日時に遅れを生ずる場合でも、その遅れ時間が予め設定されている範囲内である場合には、割り込んだ処理順序を設定するように処理形態が設定されている請求項１又は２記載の写真プリントシステム。
【請求項５】
新たにオーダを受け付けた場合に前記処理順序の更新を行う処理順序更新手段を備え、この処理順序更新手段は、新たに受け付けたオーダに対して前記処理順序設定手段で設定される処理順序が、既に設定されている前記処理順序に割り込むことにより、既に設定されている処理順序における特定のオーダの仕上がり日時に遅れを生ずる場合でも、その特定のオーダのプリント枚数が設定値より多い場合には、割り込んだ処理順序を設定するように処理形態が設定されている請求項１又は２記載の写真プリントシステム。
【請求項６】
新たにオーダを受け付けた場合に前記処理順序の更新を行う処理順序更新手段を備え、この処理順序更新手段は、新たに受け付けたオーダに対して前記処理順序設定手段で設定される処理順序が、既に設定されている前記処理順序に割り込むことにより、既に設定されている処理順序における特定のオーダの仕上がり日時に遅れを生ずる場合でも、新たに受け付けたオーダのプリント枚数が設定値より多い場合には、割り込んだ処理順序を設定するように処理形態が設定されている請求項１又は２記載の写真プリントシステム。
【請求項７】
新たにオーダを受け付けた場合に、受け付けたオーダのプリント処理を実行中のオーダのプリント処理に割り込ませて実行する割り込み処理手段を備え、
この割り込み処理手段は、新たに受け付けたオーダに対して前記処理順序設定手段で設定される処理順序が、実行中のオーダのプリント処理の次の処理順序となり、かつ、この新たに受け付けたオーダのプリント処理時間が、実行中のオーダのプリント処理を完了するまでの処理時間より短い場合には、割り込ませたプリント処理を実行するように処理形態が設定されている請求項１又は２記載の写真プリントシステム。
【請求項８】
該写真プリントシステムが、複数の受け付け端末と、この複数の受け付け端末で受け付けたオーダの情報に基づいてプリント処理を実行するプリント部とを備えて構成されると共に、
前記受け付け端末でオーダを受け付けた場合には、前記処理順序設定手段がオーダの処理順序を設定し、この処理順序に設定されたオーダのプリント処理を実行する際に、前記プリント実行手段が、プリント処理の対象となるオーダを受け付けた受け付け端末から画像データを取得してオーダのプリント処理を実行するように処理形態が設定されている請求項１〜７のいずれか１項に記載の写真プリントシステム。
【発明の詳細な説明】
【技術分野】
【０００１】
本発明は、複数のオーダを受け付け、その受け付け順序と異なる順序でオーダのプリント処理を行うプリント制御部を備えている写真プリントシステムに関する。
【背景技術】
【０００２】
上記のように構成された、写真プリントシステムと類似する技術として特許文献１、特許文献２及び特許文献３に記載されるものが存在する。
【０００３】
特許文献１は、ユーザのパソコンとプリント仕上げ業者のワークステーションとが公衆電話回線で接続され、パソコンには画像入力手段としてのスキャナやデジタルカメラが接続し、ワークステーションにはプリンタが接続している。パソコンは注文処理プログラムを備えており、このプログラムでプリントの注文を行う場合には、プリント対象画像データを特定し、プリント指示データ、納期希望日時指示データ等を入力することにより、これらのデータが公衆電話回線を介してワークステーションに送られる。ワークステーションには工程管理処理ソフトを備えており、パソコンからプリントの注文があった場合には、納期希望日時を優先してプリント順位を決定する。この場合、先の注文の納期希望日時が繰り下がることによって、その納期希望日時が満たされない場合には処理不可能の表示がパソコンに送られる。
【０００４】
特許文献２は、受け付けたオーダのプリント処理として優先仕上げ処理（例えば、１時間後に仕上げ）と、標準仕上げ処理（例えば、２４時間後に仕上げ）との処理と、決まったプリントサイズのオーダの処理をできるだけ纏めて行うよう能率的な処理とがセットされている。オーダを受け付けた場合には顧客の希望から優先仕上げと標準仕上げとの何れかを設定し、そのオーダのプリントサイズやプリント枚数等から能率的な処理の可否を判別し、可能である場合には、能率的な処理を行うようにオーダの処理順序を設定した実行リスト情報を生成（更新）し、この実行リストに従う順序でプリント処理を行う。
【０００５】
特許文献３は、写真プリント装置においてプリント処理を実行している際にはモニターにプリント中のメッセージが表示されるとともに、このモニターに証明写真とデジタルカメラとの２つのスイッチが表示される。このようにプリント処理の実行中に、例えば、証明写真をプリントする必要がある場合には、モニターに表示された証明写真のスイッチを操作することにより、証明写真のプリントに必要な情報の入力が可能となり、これらの情報を入力した後においてモニターに表示された２つのスイッチの一方を操作することにより、現在プリントされている処理に優先して（割り込んで）プリント処理を行い、２つのスイッチの他方を操作することにより、現在プリントされている処理の次に（１オーダ終了後）にプリント処理を行える。
【０００６】
【特許文献１】特開平１０‐７８６２０号公報  （段落番号〔００１４〕〜〔００５３〕、図１）
【特許文献２】特開２００１‐３５０２１３号公報  （段落番号〔００２２〕〜〔００３５〕、図３〜図８）
【特許文献３】特開２０００‐３５２７８０号公報  （段落番号〔００２１〕〜〔００２７〕、図１、図２、図６、図８）
【発明の開示】
【発明が解決しようとする課題】
【０００７】
ＤＰ店での処理を考えると、複数のオーダの処理を受けた場合には、受けた日時を基準として予め設定された時間が経過した時点を仕上がり予定日に設定するのが普通であった。また、早急な仕上げを必要とするオーダについては、オペレータの人為的な操作によって処理の順序を入れ替えることも多く行われていた。
【０００８】
写真フィルムからの同時プリントのように、撮影済みの写真フィルムの現像処理を行った後に、その写真フィルムのコマの画像を印画紙にプリントする処理形態では、迅速な作業を行っても１時間程度の処理時間を必要としている。インターネットを介して伝送された画像データのプリント処理を行うオーダの場合には、比較的短い時間で処理を完了することも可能であるが、顧客がＤＰ店に訪れるまで時間があることから、あまり短時間での処理を必要としないものである。
【０００９】
ところが、近年のデジタルカメラの急速な普及と、写真プリント装置のデジタル処理化に伴い、デジタルカメラで使用されたメディアからプリント処理を行うオーダも増大しつつある。この種のオーダは短時間での処理が可能であるため、例えば、ＤＰ店の店頭でオーダを受け付けた場合には、オーダの依頼主（顧客）に仕上がりまで待って貰い、他の処理に優先してオーダのプリント処理を行うことも行われている。
【００１０】
しかし、デジタルカメラで使用されたメディアからのプリント処理を優先的に行うことを考えると、優先的な処理を行うための設定を人為的に行うものでは設定を行うために手間が掛かるものであり、また、優先的にプリント処理を行う場合に、先に受け付けたオーダが存在する場合には、先に受けたオーダの仕上がり日時の遅れの有無、遅れの程度を的確に把握する必要もあり改善が望まれている。
【００１１】
本発明の目的は、複数のオーダを受けた場合に、適切な順序でオーダの処理を行いうるシステムを合理的に構成する点にある。
【課題を解決するための手段】
【００１２】
本発明の特徴は、複数のオーダを受け付け、その受け付け順序と異なる順序でオーダのプリント処理を行うプリント制御部を備えている写真プリントシステムにおいて、
前記プリント制御部は、オーダの受け付け形態に対応して設定された優先順位に基づいて処理順序を設定する処理順序設定手段と、オーダ毎に仕上がり日時を設定する仕上がり日時設定手段と、設定された処理順序に従ってオーダのプリント処理を行うプリント実行手段とを備えている点にある。
【００１３】
この構成により、処理順序設定手段が、オーダの受け付け形態に基づいてオーダの処理順序を設定し、仕上がり日時設定手段が仕上がり日時を設定し、プリント実行手段が処理順序に従ったプリント処理を行う。つまり、受け付け形態に基づいて処理順序を設定してプリント処理を行うので、例えば、オーダの受け付け形態の違いに基づいて早期にプリント処理を行うべきオーダと、所定の日時にまでにプリント処理を行うべきオーダとを判別して優先関係に基づいたプリント処理を行うことが可能となる。その結果、オペレータが人為的に処理順序をしなくとも、複数のオーダのプリント処理を適切な順序で行うことが可能なシステムが構成された。
【００１４】
本発明は、前記オーダの受け付け形態として、デジタルカメラで撮影された画像データからプリント処理を行うデジタル受け付けと、写真フィルムに撮影された画像からプリント処理を行うフィルム受け付けと、通信回線を介して送られた画像データからプリント処理を行う通信受け付けとが設定され、
前記処理順序設定手段は、前記デジタル受け付けのオーダに対して優先順位を最も高く設定し、フィルム受け付けのオーダに次の優先順位を設定し、通信受け付けのオーダにその次の優先順位を設定しても良い。
【００１５】
この構成により、デジタル受け付け、フィルム受け付け、通信受け付けの順序で優先関係を自動的に設定して処理順序を設定でき、この処理順序で複数のオーダのプリント処理を行える。つまり、デジタルカメラで撮影された画像データのプリント処理を行うオーダを最優先にしてプリント処理を行えるので、例えば、オーダの依頼主（顧客）に仕上がりまで待って貰い、その場でオーダの仕上がりを受け渡すことも可能となる。
【００１６】
本発明は、新たにオーダを受け付けた場合に前記処理順序の更新を行う処理順序更新手段を備え、この処理順序更新手段は、新たに受け付けたオーダに対して前記処理順序設定手段で設定される処理順序が、既に設定されている前記処理順序に割り込む場合でも、既に設定されている処理順序における複数のオーダの何れの仕上がり日時にも遅れを生じない場合にのみ、割り込んだ処理順序を設定するように処理形態を設定しても良い。
【００１７】
この構成により、新たに受け付けたオーダに対して処理順序設定手段が処理順序を設定し、この処理順序が既に設定されている処理順序に割り込む状況では、処理順序における何れのオーダの仕上がり日時に遅れを生じない場合にのみ、処理順序更新手段が割り込んだ順序を設定する形態となるように処理順序の更新を行う。これにより、先に受け付けたオーダに遅れを生ずることのないプリント処理を行える。
【００１８】
本発明は、新たにオーダを受け付けた場合に前記処理順序の更新を行う処理順序更新手段を備え、この処理順序更新手段は、新たに受け付けたオーダに対して前記処理順序設定手段で設定される処理順序が、既に設定されている前記処理順序に割り込むことにより、既に設定されている処理順序における複数のオーダの何れかの仕上がり日時に遅れを生ずる場合でも、その遅れ時間が予め設定されている範囲内である場合には、割り込んだ処理順序を設定するように処理形態を設定しても良い。
【００１９】
この構成により、新たに受け付けたオーダに対して処理順序設定手段が処理順序を設定し、この処理順序が既に設定されている処理順序に割り込む状況では、その遅れ時間が予め設定されている範囲内である場合には、処理順序更新手段が割り込んだ処理順序を設定する。これにより、既に受け付けたオーダに遅れが生ずる場合でも、その遅れとして、比較的短い時間である場合には大きい影響を受けないので、新たに受けたオーダのプリント処理を優先して行うことができる。
【００２０】
本発明は、新たにオーダを受け付けた場合に前記処理順序の更新を行う処理順序更新手段を備え、この処理順序更新手段は、新たに受け付けたオーダに対して前記処理順序設定手段で設定される処理順序が、既に設定されている前記処理順序に割り込むことにより、既に設定されている処理順序における特定のオーダの仕上がり日時に遅れを生ずる場合でも、その特定のオーダのプリント枚数が設定値より多い場合には、割り込んだ処理順序を設定するように処理形態を設定しても良い。
【００２１】
この構成により、新たに受け付けたオーダに対して処理順序設定手段が処理順序を設定し、この処理順序が既に設定されている処理順序に割り込む状況では、その遅れを生ずるオーダにおけるプリント枚数が設定値より多い場合には、処理順序更新手段が割り込んだ処理順序を設定する。これにより、本来プリント枚数が多く他のオーダの仕上がり日時に影響を与えやすいオーダのプリント処理に優先して新たに受け付けたオーダのプリント処理を優先して行うことができる。
【００２２】
本発明は、新たにオーダを受け付けた場合に前記処理順序の更新を行う処理順序更新手段を備え、この処理順序更新手段は、新たに受け付けたオーダに対して前記処理順序設定手段で設定される処理順序が、既に設定されている前記処理順序に割り込むことにより、既に設定されている処理順序における特定のオーダの仕上がり日時に遅れを生ずる場合でも、新たに受け付けたオーダのプリント枚数が設定値より多い場合には、割り込んだ処理順序を設定するように処理形態を設定しても良い。
【００２３】
この構成により、新たに受け付けたオーダに対して処理順序設定手段が処理順序を設定し、この処理順序が既に設定されている処理順序に割り込む状況では、新たに受け付けたオーダの枚数が設定値より多い場合には、処理順序更新手段が割り込んだ処理順序を設定する。これにより、プリント枚数が多く早期に利益を得るオーダのプリントを優先的に行うことができる。
【００２４】
本発明は、新たにオーダを受け付けた場合に、受け付けたオーダのプリント処理を実行中のオーダのプリント処理に割り込ませて実行する割り込み処理手段を備え、
この割り込み処理手段は、新たに受け付けたオーダに対して前記処理順序設定手段で設定される処理順序が、実行中のオーダのプリント処理の次の処理順序となり、かつ、この新たに受け付けたオーダのプリント処理時間が、実行中のオーダのプリント処理を完了するまでの処理時間より短い場合には、割り込ませたプリント処理を実行するように処理形態を設定しても良い。
【００２５】
この構成により、新たに受け付けたオーダのプリント処理を行った場合の処理の完了までの時間が、現在処理を実行中のオーダのプリント処理の仕上がりまでの時間より短い場合には、現在処理中のオーダに割り込む形態で処理を行うことにより、そのオーダのプリント処理を優先的に行え、短時間でのプリント処理を実現する。
【００２６】
本発明は、該写真プリントシステムが、複数の受け付け端末と、この複数の受け付け端末で受け付けたオーダの情報に基づいてプリント処理を実行するプリント部とを備えて構成されると共に、
前記受け付け端末でオーダを受け付けた場合には、前記処理順序設定手段がオーダの処理順序を設定し、この処理順序に設定されたオーダのプリント処理を実行する際に、前記プリント実行手段が、プリント処理の対象となるオーダを受け付けた受け付け端末から画像データを取得してオーダのプリント処理を実行するように処理形態を設定しても良い。
【００２７】
この構成により、複数の受け付け端末でオーダを受け付けた場合でも、これらのオーダの全てのデータをプリント部の側に保存する必要がなく、処理順序設定手段が設定した処理順序でオーダのプリント処理を行う場合でも、そのプリント処理を行う直前にプリント装置が受け付け端末からプリント処理に必要なデータを受け取ることで済む。
【発明を実施するための最良の形態】
【００２８】
以下、本発明の実施形態を図面に基づいて説明する。
〔全体構成〕図１に示すように、複数の受け付け端末Ａと、この複数の受け付け端末Ａから伝送される情報及びインターネットＮ（通信回線の一例）を介して伝送される情報の処理を行う情報処理部Ｂと、この情報処理部Ｂからの情報に基づいて銀塩式の印画紙Ｐ（プリント媒体の一例）に対するプリント処理を行うプリント部Ｃとを備えて写真プリントシステムが構成されている。
【００２９】
この写真プリントシステムは、ＤＰ店に設置されるものであり、前記複数の受け付け端末Ａは、デジタルカメラ（図示せず）で使用したメディアＭ（図２を参照）を顧客がセットし、セルフサービスの形態で顧客が操作することによりオーダを受け付ける。前記情報処理部Ｂは、ＤＰ店のカウンター１の内部に配置され、銀塩式のカメラ（図示せず）で使用された写真フィルムからのオーダや、既に現像されている写真フィルムからのリプリント処理等のオーダを受け付けると共に、前記インターネットＮからのオーダを受け付ける。また、この情報処理部Ｂは、この情報処理部Ｂで受け付けたオーダと、前記受け付け端末Ａで受け付けたオーダと、インターネットＮを介して受け付けたオーダとを前記プリント部Ｃに伝送することによりプリント処理を実現する。
【００３０】
前記プリント部Ｃは、印画紙Ｐに対する露光処理の後に現像処理と乾燥処理とを行うように構成されている。尚、前記情報処理部Ｂにおいて、撮影済みの写真フィルムから同時プリントと称されるプリント処理を行うオーダを取得した場合には、フィルムプロセッサー（図示せず）によって写真フィルムの現像処理を行うことになる。
【００３１】
複数の受け付け端末Ａと情報処理部Ｂとは、ケーブル２とハブ（hub)３とで成るＣＳＭＡ／ＣＤ（Carrier Sense Multiple Access with Collision Detection）方式のイーサネット（Ethernet）（商標）型のＬＡＮを介して互いに接続されている。また、情報処理部Ｂとプリント部Ｃとの間にも前述したイーサネット（Ethernet）（商標）型のＬＡＮを構成するケーブル４によって互いに接続されている。更に、インターネットＮと情報処理部Ｂとの間には通信回線５が形成されている。尚、この情報処理部Ｂとプリント部Ｃとの間の情報伝達系はイーサネット（Ethernet）（商標）型のＬＡＮでなくても良く、専用の通信回線を用いても良い。
【００３２】
〔受け付け端末〕図２に示すように、前記受け付け端末Ａは、筐体１０と、液晶型のディスプレイ１１とを備えている。筐体１０の前部にはメディアＭから画像データを取得するメディアドライブ１２と、カメラ付き携帯電話機Ｔに接続するコネクタ１３と、引換証１４をプリントする引換証プリンタ１５とを備え、筐体１０の内部にはオーダを取得から前記情報処理部Ｂに伝送する処理までを行う処理ユニット１６を備えている。前記ディスプレイ１１は表示面にタッチパネルを形成し、ディスプレイ１１に表示されたアイコンに指等を接触させることにより必要とする操作を現出できるものを採用している。
【００３３】
前記メディアドライブ１２によって画像データを取得できるメディアＭとして、コンパクトフラッシュ（Compact Flash・商標）Ｍｃ、ＳＤメモリカード（SD memory card・商標）Ｍｄ、メモリースティック(Memory Stick・商標)Ｍｓ等の半導体メディアや、ＣＤ（Compact Disc）、ＣＤ−Ｒ（ＣＤ−Recordable）、ＭＯ（Magnet Optical Disk）等のディスク状メディアを想定している。
【００３４】
図４に示すように、この受け付け端末Ａは、マイクロプロセッサＣＰＵに信号のアクセスを行う入出力インタフェース２１を備えており、この入出力インタフェース２１に対して前記ディスプレイ１１、メディアドライブ１２、コネクタ１３、引換証プリンタ１５夫々の間で信号のアクセスを行う信号系を形成している。この入出力インタフェース２１に対してハードディスクＨＤと通信ユニット２２とが接続し、更に、前記ＣＰＵのデータバスには半導体メモリ２３（ＲＡＭ／ＲＯＭ）、オペレーティングシステム２４、画像データ取得手段２５、オーダデータ取得手段２６、データ管理手段２７、画像補正手段２８夫々が接続している。
【００３５】
ちなみに、この受け付け端末Ａでは、制御を実現するためにはデータバスの他にコントロールバスやアドレスバス等を必要とするものであるが、複雑化を避けるために図面にはコントロールバスやアドレスバス、あるいは、インタフェース類を示していない。
【００３６】
前記オペレーティングシステム２４は、前記ディスプレイ１１に対して必要な情報を表示し、この表示された情報に基づき、前記タッチパネルに対する操作が行われることにより画像データとオーダデータとを取得するようにＧＵＩ（Graphical User Interface）型の処理を実現する。
【００３７】
前記画像データ取得手段２５は、セットされたメディアＭ（Ｍｃ・Ｍｄ・Ｍｓ）から画像データを取得する、あるいは、カメラ付き携帯電話機Ｔの全ての画像データを取得する処理を実行する。前記オーダデータ取得手段２６は、取得した画像データに対応したサムネイル画像を前記ディスプレイ１１に一覧化して表示し、この表示に基づいてプリント対象とする画像データと、プリントサイズと、プリント枚数とを含むオーダデータを取得する。また、画像データ取得手段２５で取得された画像データ、及び、オーダデータ取得手段２６で取得されたオーダデータは前記ハードディスクＨＤに保存される。
【００３８】
データ管理手段２７は、オーダデータ伝送部２７Ａと画像データ伝送部２７Ｂとを備えている。オーダデータ伝送部２７Ａは、受け付け端末でオーダを受け付けた場合に、即時にそのオーダのオーダデータを前記情報処理部Ｂに伝送する処理を実行し、画像データ伝送部２７Ｂは前記情報処理部Ｂからのオーダを指定して画像データの要求があった場合に、前記ハードディスクＨＤに保存した画像データを情報処理部Ｂに伝送する処理を実行する。
【００３９】
前記画像補正手段２８はプリント対象に設定された画像データの色調や濃度やコントラスト等の補正を自動又はオペレータの設定に従って行う。
【００４０】
〔情報処理部〕図１に示すように、前記情報処理部Ｂは、コンソール３１に対して前記写真フィルムＦのコマ画像を光電変換によりデジタル信号化し、画像データとして取り込むフィルムスキャナ３２と、各種情報を表示するディスプレイ３３と、画像処理とプリント処理に必要な各種処理とを行う汎用コンピュータで成る処理装置３４（プリント制御部の一例）とを備えている。コンソール３１の上面には前記処理装置３４に対して情報を入力するためキーボード３５と、ポインティングデバイスとして機能するマウス３６とを備えている。
【００４１】
前記処理装置３４には、ＣＤやＭＯやＦＤ等のディスク型のメディアからの画像データを取得する、あるいは、半導体型のメディア（図示せず）からの画像データを取得するように夫々のメディアの構造に対応したメディアドライブ３７を備えている。この処理装置３４は、前記ディスプレイ３３に表示に従って各種の処理を前記キーボード３５やマウス３６の操作により実現するインタフェースを具備している。更に、この処理装置３４には前記フィルムスキャナ３２、あるいは、前記メディアドライブ３７で取り込まれた画像データをディスプレイ３３に表示して補正処理、必要な処理情報を前記プリント部Ｃに伝送することによりプリント部Ｃでのプリント処理を実現するソフトウエアがインストールされている。
【００４２】
前記フィルムスキャナ３２は、下部に発光ダイオードやハロゲンランプ等を有した光源部を配置し、中間部にズームレンズを配置し、上部にズームレンズからのコマ画像をＲ（赤）、Ｇ（緑）、Ｂ（青）３原色に色分解して取り込むラインＣＣＤ型の光電変換部を配置している。このフィルムスキャナ３２では、写真フィルムＦのスキャニングを行う場合、その写真フィルムＦのサイズに適合したフィルムキャリア３２Ａを光源部の上面に装着してスキャニングを開始することにより、写真フィルムＦを副走査方向（長手方向）に搬送する作動と同期して光電変換部において写真フィルムＦのコマ画像を主走査方向に沿ってデジタル信号化して取り込む処理が行われ、取り込まれた画像データは、前記処理装置３４に転送され保存される。
【００４３】
図５に示すように、前記処理装置３４は、マイクロプロセッサＣＰＵに信号のアクセスを行う入出力インタフェース４１を備えており、この入出力インタフェース４１に対して前記フィルムスキャナ３２、前記ディスプレイ３３、キーボード３５、マウス３６、メディアドライブ３７夫々の間で信号のアクセスが行う信号系を形成している。この入出力インタフェース４１に対してハードディスクＨＤと通信ユニット４２とが接続し、更に、前記ＣＰＵのデータバスには半導体メモリ４３（ＲＡＭ／ＲＯＭ）、オペレーティングシステム４４、画像データ取得手段４５、オーダデータ取得手段４６、処理順序設定手段４７（処理順序更新手段としても機能する）、仕上がり日時設定手段４８、割り込み処理手段４９、画像補正手段５０、プリント実行手段５１夫々が接続している。
【００４４】
ちなみに、この処理装置３４では、制御を実現するためにはデータバスの他にコントロールバスやアドレスバス等を必要とするものであるが、複雑化を避けるために図面にはコントロールバスやアドレスバス、あるいは、インタフェース類を示していない。
【００４５】
この処理装置３４のオペレーティングシステム４４は前記受け付け端末Ａと同様に前記ディスプレイ１１に対して必要な情報を表示し、この表示された情報に基づき、前記タッチパネルに対する操作が行われることにより画像データとオーダデータとを取得するようにＧＵＩ（Graphical User Interface）型の処理を実現する。画像データ取得手段４５は、フィルムスキャナ３２から画像データを取得し、また、インターネットＮを介して送られたオーダから画像データを取得する。
【００４６】
尚、後述するシステムの処理形態では、この情報処理部Ｂのメディアドライブ３７にメディアＭをセットして画像データを取得する処理については説明していないが、このメディアドライブ３７において画像データを取得することも可能であり、このように画像データを取得する場合には、画像データ取得手段４５が機能する。
【００４７】
前記オーダデータ取得手段４６は、フィルムスキャナ３２で取得した画像データに対応したサムネイル画像をディスプレイ３３に一覧化して表示し、この表示に基づいてプリント対象とする画像データと、プリントサイズと、プリント枚数とで成るオーダデータを取得する処理を行う。また、このオーダデータ取得手段４６は前記受け付け端末Ａから伝送されるオーダデータを取得し、前記インターネットＮを介して送られたオーダからオーダデータを取得する。
【００４８】
前記処理順序設定手段４７（処理順序更新手段としても機能する）は、オーダの受け付け形態に対応して設定された優先順位に基づいてオーダの処理順序（待ち行列）を設定する処理を行う。つまり、オーダの受け付け形態として、デジタルカメラやカメラ付き携帯電話機Ｔで撮影された画像データからプリント処理を行うデジタル受け付けと、写真フィルムＦに撮影された画像からプリント処理を行うフィルム受け付けと、インターネットＮ（通信回線）を介して送られた画像データからプリント処理を行う通信受け付けとが設定されている。
【００４９】
前記デジタル受け付けのオーダの優先順位を最も高く設定し、次に、フィルム受け付けのオーダの優先順位を高く設定し、この次に、通信受け付けのオーダの優先順位を高く設定している。また、受け付け形態が同じオーダを受け付けた場合には、プリント処理に要する時間が短いものほど（例えば、処理枚数が少ないもの等）優先順位を高くし、次に、受け付け時刻が早いものほど優先順位を高くすることにより、処理順序設定手段４７が優先順位に従った処理順序（待ち行列）を設定するように基本的な処理形態が設定されている。
【００５０】
尚、後述するシステムの処理形態では言及していないが、写真フィルムＦからのリプリント処理を行うオーダと、通信受け付けのうち仕上げ日時の指定がないオーダについては、この順序で更に低い優先順位が与えられる。
【００５１】
また、処理順序設定手段４７は、前述したように優先順位に従った処理順序（待ち行列）を設定する基本的な処理の他に、新たにオーダを受け付けた場合には、予め設定されたルールに従うことにより、前述した基本的な処理に反した処理順序となる更新を行うようにも処理形態が設定されている。具体的には、図９に示す処理順序設定画面８０の処理順序モード設定部９０において処理順序を設定する際のルールをオペレータが選択することにより、オーダの処理順序を合理的な順序に設定できる。この処理順序設定手段４７による処理順序の設定については後述する。
【００５２】
前記仕上がり日時設定手段４８は、オーダの受け付け形態の受け付け形態に基づいて予め設定された仕上がり日時を生成する、又は、前記処理順序設定手段４７で設定された処理順序（待ち行列）に基づいて仕上がり日時を生成する。
【００５３】
具体的に説明すると、前記デジタル受け付けでは、受け付けから仕上がりまでの時間を５分〜１０分程度の比較的短い時間に設定しており、前記フィルム受け付けでは、同時プリントの場合において受け付けから仕上がりまでの時間を１時間程度に設定しており、通信受け付けでは、受け付けから仕上がりまでの時間を２４時間（一日）程度に設定するように基本的な処理形態が設定されている。尚、写真フィルムＦからのリプリント処理を行うオーダについては受け付けから１日以上後の仕上がり日時が設定され、通信受け付けのうち仕上げ日時の指定がないものについては、更に、先の仕上がり日時が設定される。
【００５４】
前記割り込み処理手段４９は、受け付けたオーダのプリント処理を実行中のオーダのプリント処理に割り込ませて実行するように処理形態が設定されている。この割り込み処理手段４９による処理形態は後述する。
【００５５】
前記画像補正手段５０はプリント対象に設定された画像データの色調や濃度やコントラスト等の補正を自動又はオペレータの設定に従って行う。前記プリント実行手段５１は前記処理順序設定手段４７で設定された処理順序でオーダの画像データとオーダデータとを前記プリント部Ｃに伝送してプリント処理を行う。
【００５６】
〔プリント部〕前記プリント部Ｃは、図１及び図３に示すように、露光ブロックＥｘと、現像ブロックＤｅと、乾燥ブロックＤｒとを暗箱構造の筐体６０に収容して成ると共に、筐体６０の外部には、処理の後に筐体６０の上部から送り出される印画紙Ｐを水平方向に送る搬送ベルト６１を備え、この搬送ベルト６１から送られる印画紙Ｐをオーダ単位で仕分けて集積するよう複数のトレー６２を有したソータ６３を備え、更に、搬送ベルト６１の下方位置には大きいサイズの印画紙Ｐを受け止めるラック６４を備えている。
【００５７】
前記露光ブロックＥｘは、下部に２つの印画紙マガジンｍを配置すると共に、上部位置に露光ヘッドＨを配置している。この露光ブロックＥｘでは、印画紙マガジンｍ、ｍの一方に収納したロール状のカラーの印画紙Ｐを圧着型のアドバンスローラ６６によって引き出し、カッターユニット６７でプリントサイズに切断し、この切断された印画紙Ｐの裏面側に印字ヘッド６８によって色補正情報等の情報をプリントし、この後、印画紙Ｐを挟持搬送するチャックユニット６９によって露光経路に送り込む制御が実行される。
【００５８】
前記露光経路では、前記チャックユニット６９からの印画紙Ｐを受取ローラ７０で受け取ると共に、この印画紙Ｐを一対の駆動ローラ７１と、これに対応する一対の従動ローラ７２とで圧着して上方（副走査方向）に搬送する。この搬送によって前記印画紙Ｐが露光位置に達すると前記露光ヘッドＨからのレーザビームで主走査方向に沿って露光が行われる。そして、この露光を終えた印画紙Ｐは、複数の圧着ローラ７３を備えた前搬送経路において搬送方向が水平方向に変換される。この後に水平方向に搬送される印画紙Ｐは２つのチャッカー７４を備えた振り分け経路において２列の振り分け経路に振り分けられ、更に、複数の圧着ローラ７５を備えた後搬送経路から前記現像ブロックＤｅの圧着型の導入ローラ７６に受け渡される。
【００５９】
前記現像ブロックＤｅは、発色現像槽と漂白定着槽と安定槽とで成る複数の処理槽を一体形成した現像処理槽７７を備えると共に、夫々の現像処理槽に印画紙Ｐを供給する搬送機構７８を備えており、前記露光ブロックＥｘから供給された印画紙Ｐの現像処理を、前記複数の処理槽において行う。前記乾燥ブロックＤｒは、現像ブロックＤｅから送り出された印画紙Ｐに対してブロワ７９からの乾燥空気を供給して乾燥を行う。
【００６０】
〔システムの処理形態〕
前述したように、受け付け端末Ａにおいてデジタルカメラやカメラ付き携帯電話機Ｔで撮影された画像データを取得してプリント処理を行う受け付けをデジタル受け付けと称し、情報処理部Ｂにおいて、写真フィルムＦに撮影されたコマ画像からプリント処理を行う受け付けをフィルム受け付けと称し、この情報処理部ＢにおいてインターネットＮ（通信回線）を介して送られた画像データからプリント処理を行う受け付けを通信受け付けと称している。
【００６１】
このような受け付け形態のオーダについて前記処理順序設定手段４７が処理順序（待ち行列）を設定した後に、新たにオーダを受け付けた場合には、前記処理順序設定手段４７（処理順序更新手段）が新たに処理順序を設定するが、この処理順序が既に設定されている処理順序に対して新たに受け付けたオーダが割り込む状況となることもある。このような状況では、夫々のオーダについて既に設定されている仕上がり日時と、予め設定されたルールとに基づいて、処理順序設定手段４７（処理順序更新手段）が処理順序を設定するものとなり、これらの処理を以下に説明する。
【００６２】
〈受け付け端末での受け付け〉この写真プリント処理システムでのプリント処理のうち、受け付け端末Ａで受け付けたオーダの処理の流れを図６のように示すことが可能である。つまり、顧客が受け付け端末ＡにメディアＭをセットしてプリント処理を依頼する場合には（デジタル受け付け）、この受け付け端末Ａのディスプレイ１１に対して、メディアＭに保存されている画像データがサムネイル形式で一覧化して表示される。顧客は画面に指を接触させることによりプリント対象を指定し、プリントサイズを設定し、プリント枚数を設定する。
【００６３】
このように受け付け端末Ａにおいて顧客がオーダを設定する場合において、前記画面にサムネイル形式で表示された画像データを指定して、色調やコントラスト等、顧客が必要とする補正を行うことも可能である（画像補正手段２８の処理）。
【００６４】
前記プリントサイズデータとプリント枚数データとでオーダデータが構成され、このようにオーダの依頼が終了すると、受け付け端末Ａの画像データ取得手段２５がプリント対象に指定された画像データをハードディスクＨＤに保存し、オーダデータ取得手段２６がオーダデータをハードディスクＨＤに保存する。
【００６５】
この保存を終えると前記データ管理手段２７のオーダデータ伝送部２７Ａがオーダ番号と受け付け端末Ａを識別する識別データとを付与したオーダデータを前記情報処理部Ｂに伝送する。この伝送があった場合には、情報処理部Ｂの処理順序設定手段４７がオーダの受け付け形態（このオーダでは、デジタル受け付け）から処理順序を仮設定し、既に処理順序が設定されている複数のオーダが存在する場合には、順序設定モードと仕上がり日時を考慮して処理順序設定手段４７が処理順序を設定し、この処理順序に基づいて仕上がり日時設定手段４８が仕上がり日時を設定する。
【００６６】
このように設定された仕上がり日時は、オーダ番号とともに前記受け付け端末Ａに伝送され、受け付け端末Ａの引換証プリンタ１５で引換証１４に仕上がり日時とオーダ番号とがプリントされ、顧客に与えられる。
【００６７】
情報処理部Ｂでは、プリント実行手段５１が処理順序に従ってプリント部Ｃにプリントデータとオーダデータとをプリント部Ｃに伝送することにより、プリント部Ｃでのプリント処理を実現している。そして、前述のように受け付け端末Ａで受け付けたオーダのプリント処理を実行する場合には、プリント実行手段５１が、そのオーダの画像データを受け付けた受け付け端末Ａ（識別データで識別された端末）に画像データを要求する。
【００６８】
この要求があった場合には、前記データ管理手段２７の画像データ伝送部２７Ｂが要求されたオーダの画像データを情報処理部Ｂに伝送する。このように画像データが伝送された場合には、プリント実行手段５１が、伝送された画像データからプリントサイズに対応した画素数となるプリントデータを生成し、このプリントデータとオーダデータとをプリント部Ｃに伝送する。このようにプリントデータとオーダデータとが伝送されるとプリント部Ｃではオーダデータに従ってプリントデータを印画紙Ｐにプリントする処理が行われる。
【００６９】
オーダのプリント処理を終えると、仕上げられた印画紙Ｐはオーダ番号を付したＤＰ袋に収容され（基本的にはオペレータの作業）、このオーダ番号をプリントした引換証１４を提示した顧客に引き渡されるのである。
【００７０】
〈情報処理部での受け付け〉情報処理部Ｂでの受け付けたオーダの処理の流れを図７のように示すことが可能である。つまり、顧客が未現像の写真フィルムからプリント処理を依頼する場合には（フィルム受け付け）、フィルムプロセッサー（図示せず）で写真フィルムＦの現像処理を行った後に、フィルムスキャナ３２においてコマ画像をデジタル化し、画像データを取得する。
【００７１】
このように画像データを取得した後には、夫々の画像データがサムネイル形式でディスプレイ３３に表示され（例えば、プレジャッジ画面に表示）、この画面からオペレータがプリント対象を指定し、プリントサイズを設定し、プリント枚数を設定する。
【００７２】
このように情報処理部Ｂにおいてオーダを受け付けた場合において、前記画面にサムネイル形式で表示された画像データを指定して、色調やコントラスト等、顧客が必要とする補正を行うことも可能である（画像補正手段５１の処理）。
【００７３】
プリントサイズデータとプリント枚数データとでオーダデータが構成され、このようにオーダの設定が終了すると、情報処理部Ｂの画像データ取得手段４５がプリント対象に指定された画像データをハードディスクＨＤに保存し、オーダデータ取得手段４６がオーダデータをハードディスクＨＤに保存する。
【００７４】
次に、情報処理部Ｂの処理順序設定手段４７がオーダの受け付け形態（このオーダでは、フィルム受け付け）から処理順序を仮設定し、既に処理順序が設定されている複数のオーダが存在する場合には、順序設定モードと仕上がり日時を考慮して処理順序設定手段４７が処理順序を設定し、この処理順序に基づいて仕上がり日時設定手段４８が仕上がり日時を設定する。この仕上がり日時は、必要な場合には顧客に伝えられる。
【００７５】
情報処理部Ｂでは、プリント実行手段５１が処理順序を管理しており、プリント処理を行うオーダが情報処理部Ｂで受け付けたものである場合には、プリント実行手段５１がオーダ番号を指定してハードディスクＨＤに保存されている画像データからプリントサイズに対応した画素数となるプリントデータを生成し、このプリントデータとオーダデータとをプリント部Ｃに伝送する。このようにプリントデータとオーダデータとが伝送されるとプリント部Ｃではオーダデータに従ってプリントデータを印画紙Ｐにプリントする処理が行われるのである。尚、フィルムスキャナ３２においてプリントサイズに適合した画素数のプリントデータを取得している場合には、プリントデータを生成する処理は不要となる。
【００７６】
〈情報処理部でのインターネットによる受け付け〉情報処理部ＢでのインターネットＮを介して受け付けたオーダの処理の流れを図８のように示すことが可能である。つまり、顧客が自宅のパーソナルコンピュータ等からプリント処理を依頼する場合には（通信受け付け）、顧客が予め選択した画像データと、オーダデータとがインターネットＮを介して情報処理部Ｂに伝送される。オーダデータは、プリントサイズデータとプリント枚数データとで構成されるものであり、情報処理部Ｂの画像データ取得手段４５が画像データをハードディスクＨＤに保存し、オーダデータ取得手段４６がオーダデータをハードディスクＨＤに保存する。
【００７７】
次に、情報処理部Ｂの仕上がり処理順序設定手段４７がオーダの受け付け形態（このオーダでは、通信受け付け）から処理順序を仮設定し、既に処理順序が設定されている複数のオーダが存在する場合には、順序設定モードと仕上がり日時を考慮して処理順序設定手段４７が処理順序を設定し、この処理順序に基づいて仕上がり日時設定手段４８が仕上がり日時を設定する。この仕上がり日時は、インターネットＮを介して顧客に伝えられる。
【００７８】
情報処理部Ｂでは、プリント実行手段５１が処理順序を管理しており、プリント処理を行うオーダが情報処理部Ｂで受け付けたものである場合には、オーダ番号を指定してハードディスクＨＤに保存されている画像データからプリントサイズに対応した画素数となるプリントデータを生成し、このプリントデータとオーダデータとをプリント部Ｃに伝送する。このようにプリントデータとオーダデータとが伝送されるとプリント部Ｃではオーダデータに従ってプリントデータを印画紙Ｐにプリントする処理が行われるのである。
【００７９】
〔処理順序設定手段による処理〕前述のように、複数のオーダのプリントを実行する際にはディスプレイ３３に図９に示す処理順序設定画面８０が表示される。この処理順序設定画面８０では処理順序リスト８１と、実行モード設定部８２と、処理順序モード設定部９０とが形成されている。
【００８０】
処理順序リスト８１は、前記処理順序設定手段４７（処理順序更新手段としても機能する）によって設定されたオーダの実行順序が一覧化して表示され、実行モード設定部８２では処理順序リスト８１に表示された順序でオーダを実行するために「自動実行」のチェック部８２Ａと「実行前に確認」のチェック部８２Ｂと設定ボタン８２Ｃとが形成されている。
【００８１】
実行モード設定部８２において「自動実行」のチェック部８２Ａをチェックし、設定ボタン８２Ｃを操作することにより、オペレータが操作を行わずとも自動的な連続プリント処理を実現する。また、「実行前に確認」のチェック部８２Ｂをチェックし、設定ボタン８２Ｃを操作することにより、オーダのプリントの実行時には、その実行の直前にディスプレイ３３に確認画面（図示せず）を表示し、この確認画面の表示内容を確認したこと示す操作をオペレータが行うことによりプリント処理を実行し、必要な場合には補正等のオペレータが求める処理を行える。
【００８２】
前記処理順序モード設定部９０には「仕上がり日時厳守」のチェック部９１、「遅れ許容」のチェック部９２、遅れ時間のチェック部９３、遅れ時間の入力部９３Ａ、多い枚数のものを遅らせるチェック部９４、これに対応した枚数の入力部９４Ａ、枚数の多いものを優先処理のチェック部９５夫々が形成されると共に、処理中のオーダへの割り込みの可否を設定するチェック部９６、及び、設定ボタン９７が形成されている。
【００８３】
チェック部９１をチェックし、設定ボタン９７を操作しておくと、例えば、新たに受け付けたオーダがデジタル受け付けであり、先に受けたオーダがフィルム受け付けである場合のように、先に受け付けたオーダより、新たに受け付けたオーダの処理順序が先になる状況でも、先に受け付けたオーダ（フィルム受け付け）の仕上がり日時に遅れを生じない限り、新たに受け付けたオーダが先のオーダに優先する順序となる処理順序の設定（更新）を許す。
【００８４】
このように複数のオーダの仕上がり日時を考慮して、新たに受け付けたオーダの処理順序を設定する際には、既に受け付けたオーダと、新たに受け付けたオーダとのプリント処理に要する時間を取得する必要がある。このプリント処理に要する時間の取得は、プリントサイズとプリント枚数とプリント部Ｃの処理能力とに基づきプリント処理をシミュレーションすることによって求められる。このシミュレーションは処理順序設定手段４７が行う。
【００８５】
前記チェック部９２をチェックし、更に、時間遅れのチェック部９３をチェックして設定ボタン９７を操作しておくと、前述と同様に先に受け付けたオーダより、新たに受け付けたオーダの処理順序が先になり、先に受け付けたオーダの仕上がり日時に遅れを生ずる状況でも、その遅れが設定された時間以内である場合には（図９では５分以上）、新たに受け付けたオーダのプリント処理を、先のオーダのプリント処理より優先的に行うように処理順序を設定（更新）する。そして、新たに受け付けたオーダについて、この処理順序に対応する仕上がり日時を設定する。この場合、図９に示すように、処理順序リスト８１のうち遅れが生ずるオーダを示す部位の側部に遅れを生ずることを示すメッセージ８１Ａを表示する。このようにメッセージ８１Ａ表示する状況として、例えば、同図に示す００１２−Ａのオーダが受け付けられた場合に、処理順序設定モード設定部９０において設定された条件から、このオーダの処理順序が００１１−Ｂより先になり、この００１１−Ｂに５分の遅れを生ずる場合には、処理順序リスト８１に更新された順序を表示すると同時に、メッセージ８１Ａとして５分の遅れを生ずる内容が設定される。
【００８６】
また、前記チェック部９２をチェックし、更に、多い枚数のものを遅らせるチェック部９４をチェックして設定ボタン９７を操作しておくと、前述と同様に先に受け付けたオーダより、新たに受け付けたオーダの処理順序が先になり、先に受け付けたオーダの仕上がり日時に遅れを生ずる状況でも、その遅れを生ずるオーダのプリント枚数が設定された枚数以上である場合には（図９では１００枚以上）、新たに受け付けたオーダのプリント処理を、先のオーダのプリント処理より優先的に行うように処理順序を設定（更新）する。そして、新たに受け付けたオーダについて、この処理順序に対応する仕上がり日時を設定する。この場合、図９に示すように、処理順序リスト８１のうち遅れが生ずるオーダを示す部位の側部に遅れを生ずることを示すメッセージ８１Ａを表示する。
【００８７】
また、前記チェック部９２をチェックし、更に、枚数の多いものを優先処理のチェック部９５をチェックして設定ボタン９７を操作しておくと、前述と同様に先に受け付けたオーダより、新たに受け付けた仕上がり日時が先になり、先に受け付けたオーダの仕上がり日時に遅れを生ずる状況でも、新たに受け付けたオーダのプリント枚数が、遅れを生ずるプリント枚数より多い場合には、新たに受け付けたオーダのプリント処理を、先のオーダのプリント処理より優先的に行うように処理順序を設定（更新）し、新たに受け付けたオーダについて、この処理順序に対応する仕上がり日時を設定する。この場合、図９に示すように、処理順序リスト８１のうち遅れが生ずるオーダを示す部位の側部に遅れを生ずることを示すメッセージ８１Ａを表示する。また、この処理では、新たに受け付けたオーダのプリント枚数が、遅れを生ずるプリント枚数より少ない場合には、優先的な処理は行われない。
【００８８】
更に、処理中のオーダへの割り込みの可否を設定するチェック部９６のうち、割り込みを許すチェック部９６をチェックして設定ボタン９７を操作しておくと、新たに受け付けたオーダに対して前記処理順序設定手段で設定される処理順序が、実行中のオーダのプリント処理の次の処理順序となり、かつ、この新たに受け付けたオーダのプリント処理時間が、実行中のオーダのプリント処理を完了するまでの処理時間より短い場合には、前記割り込み処理手段４９が、割り込ませたプリント処理を実行する。
【００８９】
このような処理の概要を図９のフローチャートのように示すことが可能である。つまり、オーダを受け付けた場合には、割り込みが許されているかを判別し、許されている場合には、新たに受け付けたオーダの割り込み処理の条件の成立の有無を判別し、成立する場合には、新たに受けたオーダのプリント処理を実行し（割り込み処理手段４９による処理）、仕上がり日時に遅れを生ずるオーダに対してメッセージを表示する（＃０１〜＃０５）。次に、割り込みが許されていない場合、あるいは、割り込みの条件が成立しない場合には、処理順序更新ルーチンにより、新たに受け付けたオーダの含む処理順序を設定するように処理順序を更新する（＃１００ステップ）。
【００９０】
前記処理順序更新ルーチン（＃１００ステップ）の概要を図１１のフローチャートのように示すことが可能である。つまり、受け付け形態に基づいた優先順位から処理順序を仮設定し、複数のオーダについて既に処理順序が設定されている場合には、仮設定した処理順序との対比から、既に設定されている複数のオーダのプリント処理毎に遅れの発生の有無を判定する（＃１０１、＃１０２ステップ）。
【００９１】
次に、仕上がり日時に遅れを発生しない場合には、仮設定した仕上がり日時と整合した処理順序を設定（更新）する（＃１０３、＃１０４ステップ）。
【００９２】
また、仕上がり日時の遅れが発生する場合には、処理順序モードの設定に基づいて処理順序を設定（更新）する（＃１０５ステップ）。具体的には、「仕上がり日時厳守」のチェック部９１がチェックされている場合には、前述のように、既に設定されている仕上がり日時を厳守するように処理順序が設定される。遅れ時間のチェック部９３がチェックされている場合には、前述のように設定時間内での遅れを許す限りにおいて処理順序の変更を行う。多い枚数のものを遅らせるチェック部９４をチェックした場合には、プリント処理枚数が設定枚数より多いオーダのプリント処理の遅れを許容する処理順序の設定を行う。枚数の多いものを優先処理のチェック部９５をチェックした場合には、設定枚数以上のオーダのプリント処理を優先して処理する処理順序を設定する。
【００９３】
このように処理順序を設定した後には、処理順序に基づいて仕上がり日時を設定する処理が行われる（＃１０６ステップ）。このように仕上がり日時を設定する場合、既に仕上がり日時が既に設定され、顧客に通知されているもので、仕上がり日時に遅れを生ずるものついては、ＤＰ店で顧客毎に対応することになる。
【００９４】
このように、本発明によると、新たにオーダを受け付けた場合には、オーダの受け付け形態に基づいて処理順序を自動的に設定するので、オペレータが人為的にオーダの処理順序を設定する手間を省けるばかりでなく、デジタルカメラで撮影した画像データのように、短時間での処理を必要とするもののプリント処理を優先的に行い、１０分に満たない短時間で顧客に受け渡すことも可能にする。
【００９５】
このようにオーダの受け付け形態に基づいて処理順序を自動的に設定する場合、新たに受け付けたオーダの受け付け形態に基づいた優先順位が、既に受け付けたオーダに優先した処理順序となる場合でも、処理順序モードに基づいた処理によって、既に受け付けたオーダに対する順序を設定できるので、ＤＰ店の営業方針に従った処理順序でのプリント処理を行える。
【００９６】
特に、デジタルカメラで撮影された画像データからのプリント処理を短時間で行うことを営業方針にしているＤＰ店では、既にプリント処理が行われている場合でも、新たに受けたオーダのプリント処理を最優先で行うことも可能となる。この最優先でプリント処理を行うものについて、通常のプリント処理料金より割り増しとなるプリント処理料金を設定しても良く、このような料金設定を行うことにより、売り上げを増すことにも繋がる。
【００９７】
〔別実施形態〕
本発明は、上記した実施の形態以外に以下のように構成しても良い。
【００９８】
（ａ）オーダの受け付け形態に対する処理順序の優先順位を任意に設定できるように処理形態を設定する。このように処理順序を設定することにより、複数の受け付け形態の頻度に対応した処理順序でのプリント処理を行える。
【００９９】
（ｂ）同じ受け付け形態の複数のオーダの処理順序を設定する際に、任意に処理順序を設定できるように処理形態を設定する。このような処理形態を採用することにより、例えば、プリント処理枚数の少ないものを先に完了することも可能となる。
【０１００】
（ｃ）複数の受け付け端末で受け付けたオーダを複数のプリント部Ｃでプリントするようにシステムを構成する。このようにシステムを構成することにより、例えば、Ｌサイズのプリントを行うプリント部ＣとＥサイズのプリントを行うプリント部Ｃを備えることも可能となり処理速度を一層向上させることも可能となる。
【０１０１】
（ｄ）プリント部Ｃとして、インクジェット型や、昇華型の装置を用いる。
【産業上の利用可能性】
【０１０２】
オーダの受け付けと処理順序の設定とプリント処理とを単一の筐体に収納可能な装置で構成する。
【図面の簡単な説明】
【０１０３】
【図１】写真プリントシステムの全体を示す図
【図２】受け付け端末の斜視図
【図３】プリント部の縦断正面図
【図４】受け付け端末の制御系のブロック図
【図５】情報処理部の制御系のブロック部
【図６】デジタル受け付け時の受け付け端末と情報処理部とでの処理形態を示す図
【図７】フィルム受け付け時の情報処理部での処理形態を示す図
【図８】通信受け付け時の情報処理部での処理形態を示す図
【図９】処理順序設定画面を示す図
【図１０】オーダ受け付け処理のフローチャート
【図１１】処理順序設定ルーチンのフローチャート
【符号の説明】
【０１０４】
３４          プリント制御部：処理装置
４７          処理順序設定手段・処理順序更新手段
４８          仕上がり日時設定手段
４９          割り込み処理手段
５１          プリント実行手段
Ａ            受け付け端末
Ｃ            プリント部
【図１】
2006227381.tif 000003
【図２】
2006227381.tif 000004
【図３】
2006227381.tif 000005
【図４】
2006227381.tif 000006
【図５】
2006227381.tif 000007
【図６】
2006227381.tif 000008
【図７】
2006227381.tif 000009
【図８】
2006227381.tif 000010
【図９】
2006227381.tif 000011
【図１０】
2006227381.tif 000012
【図１１】
2006227381.tif 000013